(57)【特許請求の範囲】
【請求項１】
髪をブラッシングするためのブラシ部をハウジングに備えるとともに、髪に微粒子化した液体を供給する手段を前記ハウジング内に備えてなるヘアブラシであって、
放電電極と該放電電極に液体を供給する液体供給手段とを有し、前記液体を付着させた状態で前記放電電極を放電させることにより静電霧化を発生させる静電霧化手段と、
前記静電霧化手段にて静電霧化した液体を髪側に送風とともに供給すべくその送風動作を行うファン装置と
を備え、
前記液体供給手段は、前記放電電極を冷却するペルチェ素子にて構成され、
前記放電電極の冷却に伴う前記ペルチェ素子の発熱を放熱する放熱部材が備えられ、
前記ファン装置は、発生した送風を冷却風として前記放電電極と前記放熱部材とのそれぞれに供給し、
前記ハウジングは、前記静電霧化手段にて静電霧化した液体を髪側に放出するための開口部を形成し、該開口部の開口方向と前記ファン装置のファンの回動軸線方向とは互いに直交し、
前記放熱部材は、前記ファン装置のファンの回動軸線方向に沿って延びる板状のフィンが複数並設されるように構成され、
前記放熱部材は、前記ペルチェ素子の放熱側面に接触配置され、前記各フィンの長さは、前記ペルチェ素子の放熱側面から遠くなるほど短くなるように構成されていることを特徴とするヘアブラシ。
【請求項２】
請求項１に記載のヘアブラシにおいて、
前記ブラシ部は、前記静電霧化手段にて静電霧化した液体を髪側へ放出するための開口部を形成し、前記ファン装置からの前記放電電極に供された送風は、前記ハウジングの開口部及び前記ブラシ部の開口部を介して髪側へ供給されることを特徴とするヘアブラシ。
【請求項３】
請求項１又は２に記載のヘアブラシにおいて、
前記ブラシ部を有する前記ハウジング内に前記静電霧化手段及び前記ファン装置を備えてなるブラシ本体に対して、前記静電霧化手段及び前記ファン装置に電源供給を行う電源装置が接続ケーブルを介して別体で構成されていることを特徴とするヘアブラシ。
【請求項４】
請求項１〜３のいずれか１項に記載のヘアブラシにおいて、
前記ブラシ部及び前記ハウジングに設けた把持部の所定部位がグランドに接続されていることを特徴とするヘアブラシ。
【発明の詳細な説明】
【技術分野】
【０００１】
本発明は、髪に微粒子化した水等の液体を供給する手段を備えたヘアブラシに関するものである。
【背景技術】
【０００２】
従来、ヘアブラシにおいて、髪に微粒子化した水等の液体を供給する手段としてイオン発生装置を備えたものが提案されている。
例えば特許文献１にて示されているヘアブラシは、ブリッスル（ブラシ用毛材）を有するブラシ台の中央部が開口されており、該開口内に備えられるイオン発生装置の放電電極（針電極）にてコロナ放電を発生させ、これにより生じる空気イオンを開口部から放出する構成となっている。
【０００３】
このようなヘアブラシにて髪をブラッシングすれば、開口から放出されたイオンに結合した空気中の微粒子水分が髪に付着することで髪がしっとりさらさらとなる効果が得られる。因みに、この特許文献１のヘアブラシでは、放電電極で生じたイオンを効果的に放出できるように、放電電極と対で設けられるグランド電極の構成に工夫がなされている。
【特許文献１】特許第３３８２２３０号公報
【発明の開示】
【発明が解決しようとする課題】
【０００４】
しかしながら、特許文献１にて示されるヘアブラシでは、髪に微粒子化した水分を十分に供給でき髪のしっとりさらさら感を得ることができるが、その効果の更なる向上が要求されるものにおいては、より多くの微粒子化した水分を髪に供給する必要があり、微粒子化した水分の発生及び供給のための構成の変更が必要であった。
【０００５】
本発明は、上記課題を解決するためになされたものであって、その目的は、微粒子化した液体の発生及び供給をより好適な構成とし、より多くの微粒子化した液体を髪に供給することができるヘアブラシを提供することにある。
【課題を解決するための手段】
【０００６】
上記課題を解決するために、請求項１に記載の発明は、髪をブラッシングするためのブラシ部をハウジングに備えるとともに、髪に微粒子化した液体を供給する手段を前記ハウジング内に備えてなるヘアブラシであって、放電電極と該放電電極に液体を供給する液体供給手段とを有し、前記液体を付着させた状態で前記放電電極を放電させることにより静電霧化を発生させる静電霧化手段と、前記静電霧化手段にて静電霧化した液体を髪側に送風とともに供給すべくその送風動作を行うファン装置とを備えたことをその要旨とする。
【０００７】
この発明では、ヘアブラシに内蔵される静電霧化手段は、放電電極と該放電電極に液体を供給する液体供給手段とを有し、液体を付着させた状態で放電電極を放電させることにより静電霧化を発生させ、静電霧化した液体を生じさせる。静電霧化した液体は、ファン装置の送風動作により発生する送風とともに髪側に供給される。これにより、ヘアブラシにて髪をブラッシングすると、髪に静電霧化した液体が送風に乗ってより広範囲に付着し、特にこの静電霧化した液体は空気イオンを用いる場合と比べて微粒子でその微粒子量が格段に多いことから、髪のしっとりさらさら感といった効果が更に向上できる。
【０００８】
また、請求項１に記載の発明は、前記液体供給手段は、前記放電電極を冷却するペルチェ素子にて構成されていることをその要旨とする。
この発明では、放電電極に液体を供給する液体供給手段として、放電電極を冷却するペルチェ素子が用いられ、放電電極に空気中の水分から結露を生じさせその結露から水分を得るように構成される。これにより、タンクやカートリッジといった水を貯留する手段が必要ないことから、ヘアブラシを小型軽量に構成できる。また、タンクへの注水やカートリッジを交換するといったメンテナンスが必要ないことから、使い勝手を向上できる。
【０００９】
また、請求項１に記載の発明は、前記放電電極の冷却に伴う前記ペルチェ素子の発熱を放熱する放熱部材が備えられ、前記ファン装置は、発生した送風を冷却風として前記放電電極と前記放熱部材とのそれぞれに供給し、前記ハウジングは、前記静電霧化手段にて静電霧化した液体を髪側に放出するための開口部を形成し、該開口部の開口方向と前記ファン装置のファンの回動軸線方向とは互いに直交し、前記放熱部材は、前記ファン装置のファンの回動軸線方向に沿って延びる板状のフィンが複数並設されるように構成され、前記放熱部材は、前記ペルチェ素子の放熱側面に接触配置され、前記各フィンの長さは、前記ペルチェ素子の放熱側面から遠くなるほど短くなるように構成されていることをその要旨とする。
【００１０】
この発明では、放電電極の冷却に伴うペルチェ素子の発熱を放熱する放熱部材が備えられ、ファン装置は、発生した送風を冷却風として放電電極と放熱部材とのそれぞれに供給する。これにより、放熱部材からの放出熱が放電電極側に流れることが低減されるとともに、ファン装置にて発生した送風が直接的に放電電極に供給されるため、ペルチェ素子による放電電極の冷却効率が良好となる。そのため、放電電極に十分な水滴を生成でき、静電霧化した液体（水分）を十分に生成できる。
請求項２に記載の発明は、請求項１に記載のヘアブラシにおいて、前記ブラシ部は、前記静電霧化手段にて静電霧化した液体を髪側へ放出するための開口部を形成し、前記ファン装置からの前記放電電極に供された送風は、前記ハウジングの開口部及び前記ブラシ部の開口部を介して髪側へ供給されることをその要旨とする。
【００１１】
請求項３に記載の発明は、請求項１又は２に記載のヘアブラシにおいて、前記ブラシ部を有する前記ハウジング内に前記静電霧化手段及び前記ファン装置を備えてなるブラシ本体に対して、前記静電霧化手段及び前記ファン装置に電源供給を行う電源装置が接続ケーブルを介して別体で構成されていることをその要旨とする。
【００１２】
この発明では、ブラシ部を有するブラシ本体に静電霧化手段及びファン装置を内蔵し、これらに電源供給を行う電源装置がブラシ本体とは別体で構成される。これにより、ヘアブラシのブラシ本体を小型軽量に構成でき、ブラシ本体の操作性を向上できる。
【００１３】
請求項４に記載の発明は、請求項１〜３のいずれか１項に記載のヘアブラシにおいて、前記ブラシ部及び前記ハウジングに設けた把持部の所定部位がグランドに接続されていることをその要旨とする。
【００１４】
この発明では、ブラシ部及びハウジングに設けた把持部の所定部位がグランドに接続されることから、ブラシ部の帯電除去、及び把持部を把持した使用者の手を通じて髪の帯電除去がなされる。ブラシ部の帯電除去がなされることで、放出された静電霧化した液体のブラシ部への付着が低減されて髪への供給量が増大し、髪の帯電除去がなされることで、静電霧化した液体の髪への付着量が増大する。このことからも、髪のしっとりさらさら感といった効果の一層の向上に寄与できる。
【発明の効果】
【００１５】
本発明によれば、微粒子化した液体の発生及び供給をより好適な構成とし、より多くの微粒子化した液体を髪に供給することができるヘアブラシを提供することができる。
【発明を実施するための最良の形態】
【００１６】
以下、本発明を具体化した一実施形態を図面に従って説明する。
図１及び図２に示すように、本実施形態のヘアブラシ１は、静電霧化装置１０を備えたブラシ本体２と、該ブラシ本体２の基端部から延びる接続ケーブル３で接続され前記静電霧化装置１０に電源供給を行う電源装置４とで構成されている。この電源装置４には、自動車のシガーソケットに差込可能なプラグ５ａを有する電源ケーブル５が備えられている。即ち、本実施形態のヘアブラシ１は、車両のシガーソケットを介して得られる直流電源を用いて作動する車載用に構成されている。
【００１７】
ブラシ本体２は、内部に収容空間を有する長細所定形状のハウジング６にブラシ部７が着脱可能に取り付けられてなる。基端部に接続ケーブル３が接続されているハウジング６の基端側半分は把持部６ａとして構成されるとともに、該ハウジング６の先端側半分の一側面にはブラシ部７が取り付けられている。ブラシ部７は、ハウジング６に固定される略小判状のブラシ台７ａ上に複数本のブリッスル７ｂが立設されてなる。ブラシ台７ａの幅方向と長手方向の中央部に１つの開口部７ｃが形成されており、これに合わせてハウジング６にも開口部６ｂが形成されている。
【００１８】
ハウジング６内部の開口部６ｂ近傍には、図３に示すような静電霧化装置１０が設置されている。静電霧化装置１０は、ハウジング６の長手方向と直交する方向の一側（ブリッスル７ｂの突出方向）に向けて突出する針状放電電極１１と、該放電電極１１の先端部からその突出方向に若干離間した位置に配置される円環状のグランド電極１２とを備えている。グランド電極１２の中心の貫通孔１２ａは、ハウジング６及びブラシ台７ａの開口部６ｂ，７ｃと対応して配置されており、放電電極１１は、そのグランド電極１２の貫通孔１２ａの中心、及びハウジング６とブラシ台７ａの開口部６ｂ，７ｃの中心に位置するように配置されている。放電電極１１及びグランド電極１２は、接続ケーブル３を介して電源装置４内の高電圧発生回路（図示略）に接続され、該電源装置４から例えば３ｋＶ〜５ｋＶの高電圧の印加にて放電電極１１の先端部でコロナ放電が生じるようになっている。
【００１９】
また、静電霧化装置１０は、ペルチェ素子１３と放熱部材１４とを備え、ペルチェ素子１３の吸熱側面に放電電極１１のベース部１１ａが接触配置されるとともに、該ペルチェ素子１３の放熱側面に放熱部材１４が接触配置されている。放熱部材１４は、板状に延びる複数のフィン部１４ａが設けられており、各フィン部１４ａがハウジング６の長手方向に沿った基端側、即ち後述するファン装置１５側に向けて配置されている。ペルチェ素子１３は、接続ケーブル３を介して電源装置４内のペルチェ駆動回路（図示略）に接続され、該電源装置４からの駆動電圧印加にて放電電極１１を冷却し、空気中の水分を結露させて放電電極１１に水滴が生じるようになっている。この場合、ペルチェ素子１３は放電電極１１の熱を吸収し、これをファン装置１５の送風が当たる放熱部材１４にて放熱させることで、放電電極１１が効率良く冷却され、十分な結露が生じるようになっている。そして、このときに放電電極１１を放電させることで静電霧化（静電気エネルギーにて水滴が微細に分裂（レイリー分裂）し、ナノサイズの微粒子水が生じる現象）が発生し、静電霧化した水分が生じるようになっている。
【００２０】
ハウジング６内部の静電霧化装置１０より基端側には、ハウジング６の長手方向において静電霧化装置１０に向くようにファン装置１５が設置されている。また、ハウジング６の背面部（ブラシ部７とは反対側部分）においてそのファン装置１５よりも基端側に、メッシュ部材１６が装着された吸入口６ｃが設けられている。ファン装置１５は、接続ケーブル３を介して電源装置４内のファン駆動回路（図示略）に接続され、該電源装置４からの駆動電圧が印加される。ファン装置１５は、駆動電圧の印加にて回転し、吸入口６ｃから外気を吸い込みつつ静電霧化装置１０の放電電極１１及び放熱部材１４のそれぞれに向けて並列的に送風を供給する。尚、メッシュ部材１６は、吸入口６ｃから塵埃や髪の毛の吸い込みを防止している。また、この吸入口６ｃは、空気が排出されるブラシ台７ａの開口部７ｃよりも開口面積が広くされており、これによっても髪の毛等の吸い込みを防止している。
【００２１】
図２に示すように、ハウジング６の把持部６ａの背面部（吸入口６ｃに近傍）には、電源スイッチ１７が設けられている。電源スイッチ１７がオンされると、静電霧化装置１０においては電源装置４から放電電極１１に高電圧が、ペルチェ素子１３には素子用の駆動電圧がそれぞれ印加され、ファン装置１５にはファン用の駆動電圧が印加されるようになっている。
【００２２】
また、ブラシ本体２の把持部６ａには、使用者の手が接触する好適な位置に帯電除去板１８が設けられている。帯電除去板１８は、前記グランド電極１２と同様にグランドに接続され、使用者が把持した際に該使用者の体や髪の帯電を除去する。特に、ブラッシングした際、髪が帯電するため、静電霧化した水分が髪に付着し難くなることから、使用者の体や髪に溜まった電荷をグランド側に放電する。また、ブラッシングした際、髪の帯電とともにブラシ部７も帯電するため、静電霧化した水分が髪側に飛び出し難くなることから、ブラシ部７に溜まった電荷をグランド側に放電すべく該ブラシ部７についてもグランドに接続されている。
【００２３】
このような構成のヘアブラシ１において、プラグ５ａが車両のシガーソケットに差し込まれ電源スイッチ１７がオンされると、電源装置４から静電霧化装置１０及びファン装置１５に電源供給がなされる。電源スイッチ１７のオンに基づいて、静電霧化装置１０では、放電電極１１に放電が生じるとともにペルチェ素子１３にて該放電電極１１の冷却が開始される。放電電極１１にはやがて結露が生じて水滴が生じ、静電霧化により静電霧化した水分が該放電電極１１からグランド電極１２側に向けて放出される。また、電源スイッチ１７のオンに基づいてファン装置１５の送風動作が開始され、吸入口６ｃから放出口としてのハウジング６及びブラシ台７ａの開口部６ｂ，７ｃに向けて送風が生じており、その送風に乗って放電電極１１から放出された静電霧化した水分が開口部６ｂ，７ｃから外部に積極的に放出される。
【００２４】
また、ファン装置１５の送風は、放電電極１１の冷却に伴うペルチェ素子１３の発熱を放熱する放熱部材１４への冷却風としても用いられ、その放熱部材１４への供給とともに該放熱部材１４と並列的に放電電極１１に供給される。つまり、放熱部材１４からの放出熱が放電電極１１側に流れることが低減され、吸入口６ｃから吸い込まれた空気が直接的に放電電極１１に供給されるため、ペルチェ素子１３による放電電極１１の冷却効率が良好で、放電電極１１に十分な水滴を生成、即ち静電霧化した水分を十分に生成可能となっている。
【００２５】
そして、ヘアブラシ１のブラシ本体２にて髪をブラッシングすると、髪に静電霧化した水分が送風に乗ってより広範囲に付着し、特にこの静電霧化した水分は空気イオンを用いる場合と比べて微粒子でその水分量が格段に多いことから、髪のしっとりさらさら感がより向上する。また、ブラシ部７がグランド接続により帯電除去がなされることから、放出された静電霧化した水分のブラシ部７への付着が低減されて髪への供給量が増大し、ブラシ本体２の把持部６ａにグランド接続された帯電除去板１８が設けられ使用者の手を通じて髪の帯電除去がなされることから、静電霧化した水分の髪への付着量が増大する。このことからも、髪のしっとりさらさら感がより向上するようになっている。
【００２６】
また、髪のブラッシングの際、ブラシ本体２と電源装置４とが別体で構成されていることから、ブラシ本体２を小型軽量に構成でき、ブラシ本体２の操作性を向上できるようになっている。
【００２７】
次に、本実施形態の特徴的な作用効果を記載する。
（１）本実施形態では、ヘアブラシ１のブラシ本体２に内蔵される静電霧化装置１０は、放電電極１１と、該放電電極１１に液体（水分）を供給する液体供給手段としてペルチェ素子１３とを有し、水分を付着させた状態で放電電極１１を放電させることにより静電霧化を発生させ、静電霧化した水分を生じさせるように構成されている。静電霧化した水分は、ファン装置１５の送風動作により発生する送風とともに髪側に供給されるようになっている。これにより、ヘアブラシ１のブラシ本体２にて髪をブラッシングすると、髪に静電霧化した水分が送風に乗ってより広範囲に付着し、特にこの静電霧化した水分は空気イオンを用いる場合と比べて微粒子でその水分量が格段に多いことから、髪のしっとりさらさら感といった効果を更に向上することができる。
【００２８】
（２）本実施形態では、放電電極１１に水分を供給する液体供給手段として、放電電極１１を冷却するペルチェ素子１３が用いられ、放電電極１１に空気中の水分から結露を生じさせその結露から水分を得るように構成されている。これにより、タンクやカートリッジといった水を貯留する手段が必要ないことから、ヘアブラシ１のブラシ本体２を小型軽量に構成することができる。また、タンクへの注水やカートリッジを交換するといったメンテナンスが必要ないことから、使い勝手を向上することができる。
【００２９】
（３）本実施形態では、放電電極１１の冷却に伴うペルチェ素子１３の発熱を放熱する放熱部材１４が備えられ、ファン装置１５は、発生した送風を冷却風として放電電極１１と放熱部材１４とのそれぞれに供給する。これにより、放熱部材１４からの放出熱が放電電極１１側に流れることが低減されるとともに、ファン装置１５にて発生した送風が直接的に放電電極１１に供給されるため、ペルチェ素子１３による放電電極１１の冷却効率が良好である。そのため、放電電極１１に十分な水滴を生成でき、静電霧化した水分を十分に生成することができる。
【００３０】
（４）本実施形態では、ブラシ部を有するブラシ本体２に静電霧化装置１０及びファン装置１５を内蔵し、これらに電源供給を行う電源装置４がブラシ本体２とは別体で構成されている。これにより、ヘアブラシ１のブラシ本体２を小型軽量に構成でき、ブラシ本体２の操作性を向上でき、髪の仕上がり向上に貢献できる。
【００３１】
（５）本実施形態では、ブラシ部７及びハウジング６に設けた把持部６ａの所定部位（帯電除去板１８）がグランドに接続されている。これにより、ブラシ部７の帯電除去、及び把持部６ａを把持した使用者の手を通じて髪の帯電除去がなされる。ブラシ部７の帯電除去がなされることで、放出された静電霧化した水分のブラシ部７への付着が低減されて髪への供給量が増大し、髪の帯電除去がなされることで、静電霧化した水分の髪への付着量が増大する。このことからも、髪のしっとりさらさら感といった効果の一層の向上に寄与できる。
【００３２】
尚、本発明の実施形態は、以下のように変更してもよい。
・上記実施形態では、放電電極１１に水分を供給する液体供給手段として、放電電極１１を冷却して結露を生じさせるペルチェ素子１３を用いて構成したが、水を貯留するタンクやカートリッジを備える構成であってもよい。この場合、水に限らず、薬剤を溶かした液体を使用してもよい。
【００３３】
・上記実施形態では、静電霧化した液体（水分）を放出する放出口（開口部７ｃ）をブラシ台７ａの幅方向と長手方向の中央部に１つ設けたが、放出口の位置や数、開口の大きさを適宜変更してもよい。例えば、放出口をブラシ台７ａから外れたハウジング６の所定位置に設けることもできる。
【００３４】
・上記実施形態では、放電電極１１と放熱部材１４とに並列的に送風が当たるようなファン装置１５の配置としたが、例えばファン装置１５を放熱部材１４の背部（放電電極１１の反対側）に配置してもよい。また、ファン装置１５で発生した送風を放熱部材１４や放電電極１１に案内する通路を形成してもよい。このようにすれば、ファン装置１５を特に放電電極１１や放熱部材１４に向ける必要がなくなり、ファン装置１５の設置の自由度を向上できる。
【００３５】
・上記実施形態では、ヘアブラシ１としてブラシ本体２と電源装置４とを別体で構成したが、ブラシ本体２に電源装置４を内蔵し一体に構成してもよい。また、車両のシガーソケットに差込可能なプラグ５ａに電源装置４を一体に構成してもよい。
【００３６】
・上記実施形態では、ヘアブラシ１を車両のシガーソケットから電源を得る車載用に構成したが、一般家庭用電源から電源を得る構成としてもよい。
【図面の簡単な説明】
【００３７】
【図１】本実施形態におけるヘアブラシのブラシ本体の正面図である。
【図２】ブラシ本体の側断面を示す図１のＡ−Ａ断面図である。
【図３】ブラシ本体に内蔵される静電霧化装置部分の拡大断面図である。
【符号の説明】
【００３８】
１…ヘアブラシ、２…ブラシ本体、３…接続ケーブル、４…電源装置、６…ハウジング、６ａ…把持部、７…ブラシ部、１０…静電霧化装置（静電霧化手段）、１１…放電電極、１３…ペルチェ素子（液体供給手段）、１４…放熱部材、１５…ファン装置（送風手段）。
【図１】
0004990809.tif 000002
【図２】
0004990809.tif 000003
【図３】
0004990809.tif 000004